(57)【要約】【課題】異なる種類の耕耘爪が装着された耕耘ロータの耕耘爪を交換する際に、耕耘爪の付け間違いを防止可能な耕耘ロータを提供する。【解決手段】耕耘ロータ１０は、回転自在に支持される回転軸１１と、回転軸１１の軸方向に所定間隔を有した装着位置に回転軸の周方向に所定間隔を有して取り付けられた複数の耕耘爪１５とを備える。回転軸１１の装着位置にはフランジが設けられ、フランジには、耕耘爪の先端側が回転軸１１の軸方向右側に湾曲する耕耘爪右１７及び軸方向左側へ湾曲する耕耘爪左１８が周方向に交互に取り付けられている。フランジに取り付けられた耕耘爪右１７及び耕耘爪左１８は、互いに異なる色彩が付けられ、軸方向に隣接する同一種類の複数の耕耘爪右１７又は耕耘爪左１８は、軸方向一方側から他方側に向かって螺旋状に配置される。【選択図】図１
2013013346.tif 000002
【特許請求の範囲】
【請求項１】
回転自在に支持される回転軸と、該回転軸の軸方向に所定間隔を有した複数の装着位置に前記回転軸の周方向に所定間隔を有して取り付けられた複数の耕耘爪とを備える耕耘ロータであって、
前記装着位置には、耕耘爪の先端側が回転軸の軸方向右側に湾曲する耕耘爪右及び軸方向左側へ湾曲する耕耘爪左が取り付けられ、
前記装着位置に取り付けられた前記耕耘爪右及び前記耕耘爪左は、互いに異なる色彩が付けられている
ことを特徴とする耕耘ロータ。
【請求項２】
前記回転軸の軸方向に隣接する同一種類の複数の耕耘爪右又は耕耘爪左は、軸方向一方側から他方側に向かって螺旋状に配置され、
前記耕耘爪右及び前記耕耘爪左に付された色彩によって、同一種類の耕耘爪右又は耕耘爪左が螺旋状に配列されていることを視認可能である
ことを特徴とする請求項１に記載の耕耘ロータ。
【請求項３】
前記回転軸の前記装着位置には、該回転軸に取り付けられたフランジが設けられ、
前記フランジに前記耕耘爪右及び前記耕耘爪左が前記回転軸の周方向に所定間隔を有して取り付けられている
ことを特徴とする請求項１に記載の耕耘ロータ。
【発明の詳細な説明】
【技術分野】
【０００１】
本発明は、回転自在に支持される回転軸の軸方向に所定間隔を有した装着位置に、回転軸の周方向に複数の耕耘爪が所定間隔を有して取り付けられた耕耘ロータに関する。
【背景技術】
【０００２】
このような耕耘ロータは、例えば、特許文献１に記載されているように、圃場を耕耘する耕耘作業機に設けられている。耕耘作業機は、走行機体からの動力を受けて耕耘ロータの回転軸（文献では、耕耘軸）を回転させて、回転軸に取り付けられた複数の耕耘爪によって圃場を耕耘する。
【０００３】
この耕耘ロータは、回転軸の軸方向に所定距離を有し、且つ回転軸の周方向に所定間隔を有して取り付けられた複数の耕耘爪を有している。耕耘爪は、先端側が回転軸の軸方向右側に湾曲する耕耘爪右と、軸方向左側へ湾曲する耕耘爪左の２種類あり、これらの種類の異なる耕耘爪が回転軸周方向に交互に取り付けられている。
【先行技術文献】
【特許文献】
【０００４】
【特許文献１】特開２００９−２１３３８６号公報
【発明の概要】
【発明が解決しようとする課題】
【０００５】
この従来の耕耘ロータは、種類の異なる耕耘爪右及び耕耘爪左を回転軸に装着して構成されているが、これらの耕耘爪は同じ色（例えば、黒色）に着色されている。また回転軸には種類の異なる２種類の耕耘爪が装着されている。このため、耕耘爪の交換時に取り外した耕耘爪と異なる種類の耕耘爪を回転軸に誤って装着した場合、回転軸に装着された耕耘爪はみな同じ色であり、また回転軸には種類の異なる耕耘爪が装着されているので、誤った耕耘爪が装着されたことに気づき難い。
【０００６】
本発明は、このような課題を解決するためになされたものであり、異なる種類の耕耘爪が装着された耕耘ロータの耕耘爪を交換する際に、耕耘爪の付け間違いを防止可能な耕耘ロータを提供することを目的とする。
【課題を解決するための手段】
【０００７】
上記目的を達成するために本発明の耕耘ロータは、回転自在に支持される回転軸と、該回転軸の軸方向に所定間隔を有した装着位置に回転軸の周方向に所定間隔を有して取り付けられた複数の耕耘爪とを備える耕耘ロータであって、装着位置には、耕耘爪の先端側が回転軸の軸方向右側に湾曲する耕耘爪右及び軸方向左側へ湾曲する耕耘爪左が取り付けられ、装着位置に取り付けられた耕耘爪右及び耕耘爪左は、互いに異なる色彩が付けられていることを特徴とする（請求項１）。
【０００８】
また、本発明に係わる回転軸の軸方向に隣接する同一種類の複数の耕耘爪右又は耕耘爪左は、軸方向一方側から他方側に向かって螺旋状に配置され、耕耘爪右及び耕耘爪左に付された色彩によって、同一種類の耕耘爪右又は耕耘爪左が螺旋状に配列されていることを視認可能であることを特徴とする（請求項２）。
【０００９】
また、本発明に係わる回転軸の装着位置には、該回転軸に取り付けられたフランジ（実施の形態におけるフランジ１３）が設けられ、フランジに耕耘爪右及び耕耘爪左が回転軸の周方向に所定間隔を有して取り付けられていることを特徴とする（請求項３）。
【発明の効果】
【００１０】
本発明によれば、上記特徴を有することで、異なる種類の耕耘爪が装着された耕耘ロータの耕耘爪を交換する際に、耕耘爪の付け間違いを防止可能な耕耘ロータを提供することができる。
【図面の簡単な説明】
【００１１】
【図１】本発明の一実施の形態に係わる耕耘ロータを備える耕耘作業機のエプロンが持ち上げ支持された状態の耕耘作業機の背面構造図を示す。
【図２】本発明に係わる耕耘ロータを備える耕耘作業機の側面図を示す。
【図３】耕耘ロータの後面視における部分拡大図を示す。
【図４】本発明の他の実施の形態に係わる耕耘ロータの斜視図を示す。
【発明を実施するための形態】
【００１２】
以下、本発明に係わる耕耘ロータの最良の形態を図１から図４に基づいて説明する。先ず、耕耘ロータが設けられた耕耘作業機について概説する。耕耘作業機１は、図２（側面図）に示すように、走行機体の後部に装着されて走行機体の走行とともに進行して耕耘作業を行うものであり、機体２の幅方向に延びる本体フレーム３の両側に配設された伝動ケース４及びサポートフレーム５（図１参照）の下側間に耕耘ロータ１０が回転自在に取り付けられている。
【００１３】
耕耘ロータ１０の後方には前端部が回動自在に支持されて後部側が斜め後方へ延びて圃場を整地するエプロン４０が設けられている。
【００１４】
本体フレーム３の幅方向の中央部にはギヤボックス６が設けられ、このギヤボックス６には前側に延びる入力軸６ａが備えられている。入力軸６ａは、走行機体のＰＴＯ軸から伝動軸を介して動力が伝達されるようになっている。入力軸６ａに伝達された動力は本体フレーム３に内蔵された動力伝達機構（図示せず）及び伝動ケース４内の動力伝達機構（図示せず）を介して伝達されて、耕耘ロータ１０を所定方向（ダウンカット）に回転させる。
【００１５】
耕耘ロータ１０は、図１（背面構造図）に示すように、伝動ケース４とサポートフレーム５との下側間に軸支された回転軸１１と、回転軸１１の軸方向に所定間隔を有した複数の装着位置に設けられた板状のフランジ１３と、フランジ１３に回転軸周方向に所定の間隔を有して配設されて放射方向に延びる耕耘爪１５とを有してなる。
【００１６】
耕耘爪１５は、フランジ１３に取り付けられる取付基部１５ａ（図２参照）の先端部から延びる縦刃部１５ｂから横刃部１５ｃにかけて図２に示す耕耘爪１５の回転方向と逆向きに湾曲するとともに、横刃部１５ｃが略一定の曲率半径で機体幅方向一方側に湾曲して湾曲側にすくい面を形成している。
【００１７】
耕耘爪１５は、横刃部１５ｃが機体幅方向右側に湾曲する耕耘爪右１７と、横刃部１５ｃが機体幅方向左側に湾曲する耕耘爪左１８の２種類ある。この２種類の耕耘爪右１７及び耕耘爪左１８がフランジ１３に回転軸１１の周方向に所定の間隔を有して交互に取り付けられている。本実施例では、耕耘爪右１７が２本、耕耘爪左１８が２本の合計４本の耕耘爪がフランジ１３に取り付けられている。耕耘爪右１７及び耕耘爪左１８は、この取付基部１５ａをフランジ１３にボルト，ナット等の締結手段２０を介して着脱可能に取り付けられている。
【００１８】
耕耘爪右１７及び耕耘爪左１８の表面は、互いに異なる色彩が付されている。色彩は、人が耕耘爪右１７及び耕耘爪左１８をひと目で認識できるものであればいかなる色でもよい。例えば、耕耘爪右１７を赤色、耕耘爪左１８を黒色にしてもよい。
【００１９】
また、回転軸１１の軸方向に隣接する同一種類の耕耘爪右１７は、軸方向一方側から他方側に向かって螺旋状に配置されている。本実施例では、軸方向に隣接する耕耘爪右１７は、回転軸１１の左側から右側に向かって右ねじが回転しながら進むときに形成される螺旋状に配設されている。
【００２０】
一方、回転軸１１の軸方向に隣接する同一種類の耕耘爪左１８は、耕耘爪右１７と同様に、軸方向一方側から他方側に向かうに従って螺旋状に配置されている。本実施例では、軸方向に隣接する耕耘爪左１８は、回転軸１１の左側から右側に向かって右ねじが回転しながら進むときに形成される螺旋状に配設されている。このように耕耘爪右１７及び耕耘爪左１８を回転軸１１の軸方向に螺旋状に配設することで、耕耘時の抵抗を小さくすることができるとともに、凹凸の少ない均一な圃場表面を得ることができる。
【００２１】
前述したように、同一種類の耕耘爪は同じ色彩が付されている。このため、回転軸１１の軸方向に螺旋状に配設された耕耘爪右１７又は耕耘爪左１８は、ひと目でいずれの耕耘爪であるかを認識することができるとともに、螺旋状に配設されていることを容易に確認することができる。
【００２２】
従って、耕耘爪の交換時に、交換される耕耘爪を種類の異なる耕耘爪に誤って交換した場合、交換後の耕耘爪の色が交換前の耕耘爪の色と違うので、耕耘爪の螺旋配列の途中で別の色が存在することになる。このため、耕耘爪の付け間違いを容易に確認することができ、耕耘爪右１７と耕耘爪左１８の付け間違いを防止することができる。
【００２３】
また、図３に示すように、回転軸１１の軸方向に隣接するフランジ１３に装着され、横刃部１５ｃが互いの耕耘爪の方向を向く耕耘爪右１７及び耕耘爪左１８は、これらの耕耘爪の刃先が背面視においてオーバーラップするように配設されている。このため、圃場に存在する草やわら等が回転軸１１に巻き付く事態を抑えることができる。
【００２４】
なお、前述した実施形態では、回転軸１１にフランジ１３を設けた場合を示したが、図４に示すように、フランジ１３の代わりに耕耘爪１５の取付基部１５ａを挿着可能なホルダ１４を、回転軸１１の軸方向に所定距離を有し、且つ回転軸１１の周方向に所定間隔を有して複数設けてもよい。このように、回転軸１１にホルダ１４を設けることで、回転軸１１にフランジ１３を設けた場合と同様の効果を得ることができる。
【符号の説明】
【００２５】
１０  耕耘ロータ
１１  回転軸
１３  フランジ
１５  耕耘爪
１７  耕耘爪右
１８  耕耘爪左
【図１】
2013013346.tif 000003
【図２】
2013013346.tif 000004
【図３】
2013013346.tif 000005
【図４】
2013013346.tif 000006
【手続補正書】
【提出日】平成23年7月6日(2011.7.6)
【手続補正１】
【補正対象書類名】図面
【補正対象項目名】図１
【補正方法】変更
【補正の内容】
【図１】
2013013346.tif 000007
【手続補正２】
【補正対象書類名】図面
【補正対象項目名】図４
【補正方法】変更
【補正の内容】
【図４】
2013013346.tif 000008